(57)【要約】【課題】使用時において疲れにくくすることが可能な頭皮ケア装置を提供する。【解決手段】頭皮ケア装置１は、ハウジング２１と、ハウジング２１に設けられた施術子３１ａとからなる装置本体２を備え、施術子３１ａは、ハウジング２１の内部に収容保持されたモータ２６の駆動により動作される。そして、頭皮ケア装置１は、ハウジング２１を取付面Ｆに固定するための取付部材３を備える。【選択図】図１
2012045090.tif 000002
【特許請求の範囲】
【請求項１】
駆動源の駆動により動作する施術子をハウジングに備え、前記施術子を頭皮に接触させて刺激を与える頭皮ケア装置において、
前記ハウジングを取付箇所に固定するための取付部を備えたことを特徴とする頭皮ケア装置。
【請求項２】
請求項１に記載の頭皮ケア装置において、
前記施術子の形状又は動作に方向性を有するものであり、
前記取付部に対する前記ハウジングの向きを前記施術子の形状又は動作の方向性に合わせて位置決め可能に構成されたことを特徴とする頭皮ケア装置。
【請求項３】
請求項２に記載の頭皮ケア装置において、
前記ハウジング及び前記取付部にはそれぞれ、前記取付部に対する前記ハウジングの向きを前記施術子の形状又は動作の方向性に合わせて位置決めするための位置決め部が設けられたことを特徴とする頭皮ケア装置。
【請求項４】
請求項３に記載の頭皮ケア装置において、
前記位置決め部は、前記ハウジングの取付方向から見て前記ハウジング及び前記取付部の中心からずれた位置に設けられたことを特徴とする頭皮ケア装置。
【請求項５】
請求項２に記載の頭皮ケア装置において、
前記ハウジングは、取付方向から見た外形が前記取付部に対して位置決め可能な形状に形成されたことを特徴とする頭皮ケア装置。
【請求項６】
請求項１〜５のいずれか１項に記載の頭皮ケア装置において、
前記取付部は、前記取付箇所に固定される固定部と、該固定部に対して回転可能に設けられ、前記ハウジングを保持するハウジング保持部とを有し、
前記ハウジング保持部が前記ハウジングを保持する状態でそのハウジング保持部とハウジングとを１つの部材と見なしたときのその重心は、前記ハウジングの向きを前記施術子の形状又は動作の方向性に合わせて一定に保つように前記ハウジング保持部の回転軸からずれて構成されたことを特徴とする頭皮ケア装置。
【請求項７】
請求項６のいずれか１項に記載の頭皮ケア装置において、
前記ハウジング保持部又は前記ハウジングには、前記ハウジング保持部が前記ハウジングを保持する状態でそのハウジング保持部とハウジングとを１つの部材と見なしたときのその重心を、前記ハウジング保持部の回転軸からずらすためのおもりが設けられたことを特徴とする頭皮ケア装置。
【請求項８】
請求項６又は７に記載の頭皮ケア装置において、
前記ハウジング保持部が前記固定部に対して回転しないようにロックするロック機構を備えたことを特徴とする頭皮ケア装置。
【請求項９】
請求項８に記載の頭皮ケア装置において、
前記ロック機構は、前記ハウジングを前記ハウジング保持部に取り付ける際の取付動作、又は前記ハウジング保持部に保持された前記ハウジングの施術子に対する押圧力に基づいて、前記ハウジング保持部の回転をロックするように構成されたことを特徴とする頭皮ケア装置。
【請求項１０】
請求項１〜９のいずれか１項に記載の頭皮ケア装置において、
前記取付部は、前記取付箇所に対して吸着固定される吸盤部を有し、
前記ハウジングの内部には、前記ハウジングを前記取付部に取り付けた状態において前記吸盤部と前記取付箇所との間の密閉空間内の空気を吸引するための吸引手段が設けられたことを特徴とする頭皮ケア装置。
【請求項１１】
請求項１０に記載の頭皮ケア装置において、
前記ハウジングを前記ハウジング保持部に取り付ける際の取付動作、又は前記ハウジング保持部に保持された前記ハウジングの施術子に対する押圧力に基づき駆動信号を出力する駆動スイッチと、
前記駆動スイッチからの前記駆動信号に基づき前記吸引手段を駆動させる制御手段と
を備えたことを特徴とする頭皮ケア装置。
【請求項１２】
請求項１１に記載の頭皮ケア装置において、
前記制御手段は、前記駆動信号に基づき前記吸引手段を予め設定された駆動時間だけ駆動させることを特徴とする頭皮ケア装置。
【請求項１３】
請求項１〜１２のいずれか１項に記載の頭皮ケア装置において、
前記取付部は、前記取付箇所に固定される固定部と、該固定部に支持され前記ハウジングを保持するハウジング保持部とを有し、前記固定部と前記ハウジング保持部との間には、前記固定部に対する前記ハウジング保持部の角度を可変可能な角度可変接合部を有することを特徴とする頭皮ケア装置。
【発明の詳細な説明】
【技術分野】
【０００１】
本発明は、頭皮ケア装置に関するものである。
【背景技術】
【０００２】
従来、例えば特許文献１の頭皮ケア装置では、施術突起を備えた施術子が、駆動源の駆動力に基づき回転される出力軸に対して連結されており、出力軸の回転に伴って動作される施術子の施術突起を頭皮に接触させて刺激を与えることで、血流促進等の頭皮のケア効果が得られるようになっている。
【先行技術文献】
【特許文献】
【０００３】
【特許文献１】特開２００７−２２９１５９号公報
【発明の概要】
【発明が解決しようとする課題】
【０００４】
ところで、上記のような頭皮ケア装置では、使用者が頭皮ケア装置を手に持ち、施術子を頭皮に接触させて使用するように構成されているため、頭皮ケア装置を持つ腕が疲れてしまうといった問題があった。
【０００５】
本発明は、上記課題を解決するためになされたものであって、その目的は、使用時において疲れにくくすることが可能な頭皮ケア装置を提供することにある。
【課題を解決するための手段】
【０００６】
上記課題を解決するために、本発明の頭皮ケア装置は、駆動源の駆動により動作する施術子をハウジングに備え、前記施術子を頭皮に接触させて刺激を与える頭皮ケア装置において、前記ハウジングを取付箇所に固定するための取付部を備えたことを特徴とする。
【０００７】
また上記構成において、前記施術子の形状又は動作に方向性を有するものであり、前記取付部に対する前記ハウジングの向きを前記施術子の形状又は動作の方向性に合わせて位置決め可能に構成されたことが好ましい。
【０００８】
また上記構成において、前記ハウジング及び前記取付部にはそれぞれ、前記取付部に対する前記ハウジングの向きを前記施術子の形状又は動作の方向性に合わせて位置決めするための位置決め部が設けられたことが好ましい。
【０００９】
また上記構成において、前記位置決め部は、前記ハウジングの取付方向から見て前記ハウジング及び前記取付部の中心からずれた位置に設けられたことが好ましい。
また上記構成において、前記ハウジングは、取付方向から見た外形が前記取付部に対して位置決め可能な形状に形成されたことが好ましい。
【００１０】
また上記構成において、前記取付部は、前記取付箇所に固定される固定部と、該固定部に対して回転可能に設けられ、前記ハウジングを保持するハウジング保持部とを有し、前記ハウジング保持部が前記ハウジングを保持する状態でそのハウジング保持部とハウジングとを１つの部材と見なしたときのその重心は、前記ハウジングの向きを前記施術子の形状又は動作の方向性に合わせて一定に保つように前記ハウジング保持部の回転軸からずれて構成されたことが好ましい。
【００１１】
また上記構成において、前記ハウジング保持部又は前記ハウジングには、前記ハウジング保持部が前記ハウジングを保持する状態でそのハウジング保持部とハウジングとを１つの部材と見なしたときのその重心を、前記ハウジング保持部の回転軸からずらすためのおもりが設けられたことが好ましい。
【００１２】
また上記構成において、前記ハウジング保持部が前記固定部に対して回転しないようにロックするロック機構を備えたことが好ましい。
また上記構成において、前記ロック機構は、前記ハウジングを前記ハウジング保持部に取り付ける際の取付動作、又は前記ハウジング保持部に保持された前記ハウジングの施術子に対する押圧力に基づいて、前記ハウジング保持部の回転をロックするように構成されたことが好ましい。
【００１３】
また上記構成において、前記取付部は、前記取付箇所に対して吸着固定される吸盤部を有し、前記ハウジングの内部には、前記ハウジングを前記取付部に取り付けた状態において前記吸盤部と前記取付箇所との間の密閉空間内の空気を吸引するための吸引手段が設けられたことが好ましい。
【００１４】
また上記構成において、前記ハウジングを前記ハウジング保持部に取り付ける際の取付動作、又は前記ハウジング保持部に保持された前記ハウジングの施術子に対する押圧力に基づき駆動信号を出力する駆動スイッチと、前記駆動スイッチからの前記駆動信号に基づき前記吸引手段を駆動させる制御手段とを備えたことが好ましい。
【００１５】
また上記構成において、前記制御手段は、前記駆動信号に基づき前記吸引手段を予め設定された駆動時間だけ駆動させることが好ましい。
また上記構成において、前記取付部は、前記取付箇所に固定される固定部と、該固定部に支持され前記ハウジングを保持するハウジング保持部とを有し、前記固定部と前記ハウジング保持部との間には、前記固定部に対する前記ハウジング保持部の角度を可変可能な角度可変接合部を有することが好ましい。
【発明の効果】
【００１６】
従って、上記記載の発明によれば、使用時において疲れにくくすることが可能な頭皮ケア装置を提供することができる。
【図面の簡単な説明】
【００１７】
【図１】第１実施形態の頭皮ケア装置の概略構成図である。
【図２】第１実施形態の頭皮ケア装置を装置本体の取付方向から見た模式図である。
【図３】第１実施形態の取付部材を装置本体の取付方向から見た模式図である。
【図４】第１実施形態の頭皮ケア装置の装置本体の取付態様を示す概略構成図である。
【図５】第２実施形態の頭皮ケア装置の概略構成図である。
【図６】第２実施形態の頭皮ケア装置を装置本体の取付方向から見た模式図である。
【図７】別例の頭皮ケア装置の概略構成図である。
【図８】（ａ）（ｂ）ロック機構の動作を説明するための説明図。
【図９】第３実施形態の頭皮ケア装置の概略構成図である。
【図１０】（ａ）（ｂ）ポンプによる密閉空間内の空気の吸引の態様を説明するための説明図。
【図１１】別例の頭皮ケア装置の概略構成図である。
【図１２】別例の頭皮ケア装置を装置本体の取付方向から見た模式図である。
【図１３】別例の頭皮ケア装置を装置本体の取付方向から見た模式図である。
【図１４】別例の頭皮ケア装置の概略構成図である。
【発明を実施するための形態】
【００１８】
（第１実施形態）
以下、本発明を具体化した第１実施形態を図面に従って説明する。
図１に示すように、頭皮ケア装置１は、装置本体２と、装置本体２を所定の取付面Ｆ（取付箇所）に固定するための取付部材３とを備えている。本実施形態では、取付面Ｆは、例えばバスタブ又はバスルームの壁面となっている。これにより、使用者は装置本体２を把持せずにバスタブに浸かった状態で装置本体２による頭皮マッサージを行うことが可能となっている。
【００１９】
取付部材３は、取付面Ｆに吸着固定される固定部としての吸盤部１１と、吸盤部１１に支持されたハウジング保持部１２とからなる。吸盤部１１は円形をなし、取付面Ｆに対して押しつけられることで吸着されるようになっている。また、吸盤部１１はその表面に突出形成されたつまみ１１ａを有し、取付面Ｆから吸盤部１１を取り外す際にはつまみ１１ａをつまんで、吸盤部１１を取付面Ｆから容易に剥がすことが可能となっている。
【００２０】
ハウジング保持部１２はゴム材よりなり、その外形が装置本体２の取付方向Ｚ（本実施形態では水平方向）から見て楕円状をなしている（図２及び図３参照）。このハウジング保持部１２には、装置本体２のハウジング２１を収容保持する収容凹部１３が形成されている。この取付部材３は、吸盤部１１により取付面Ｆに対して着脱可能であり、バスタブやバスルームの壁面以外の壁面にも吸着させることが可能である。
【００２１】
装置本体２は、図１及び図２に示すように、ハウジング２１と、ハウジング２１に設けられた４つの施術子３１ａ，３１ｂ（図１では手前の２つのみ図示）とを備える。尚、施術子３１ａ，３１ｂは、図２において左側の２つの施術子を施術子３１ａとし、右側の２つの施術子を施術子３１ｂとしており、図１では左側の２つの施術子３１ａが図示されている。
【００２２】
ハウジング２１は、外観が略円柱状をなすとともに、取付方向Ｚから見て楕円状をなす側壁部２２（図２参照）と、ハウジング２１の施術子３１ａ，３１ｂとは反対側の端部に形成された楕円球状の突出部２３とを有している。尚、突出部２３は、把持するのに適した形状となっている。突出部２３には、取付方向Ｚに突出する電源スイッチ２４が設けられている。
【００２３】
一方、ハウジング保持部１２の収容凹部１３は、装置本体２の取付方向Ｚから見てハウジング２１の側壁部２２の外周を覆うように楕円状をなしている（図２及び図３参照）。また、収容凹部１３の底部には、ハウジング２１の突出部２３を収容する基端収容部１４と、電源スイッチ２４が挿入されるスイッチ挿入部１５とが形成されている。ハウジング２１が収容凹部１３に取り付けられた状態（ハウジング２１の取付状態）において、ハウジング２１の突出部２３は、基端収容部１４に対して取付方向Ｚに沿った方向に係止され、これによりハウジング２１の抜け止めとなっている。また、収容凹部１３には、ハウジング２１の側壁部２２に形成されたハウジング側凸部２２ａと取付方向Ｚに沿った方向に係合する取付部側凸部１６が形成され、それらの係合によってもハウジング２１の抜け止めがなされている。
【００２４】
また、収容凹部１３のスイッチ挿入部１５は、図３に示すように、取付方向Ｚ（紙面直交方向）から見て矩形をなしている。そして、スイッチ挿入部１５は、収容凹部１３の中心Ｍから収容凹部１３の長手方向（図３において上下方向）にずれた位置に形成されている。一方、電源スイッチ２４は、取付方向Ｚから見てハウジング２１の中心（取付状態において収容凹部１３の中心Ｍと一致）からずれた位置に設けられている（図２参照）。つまり、電源スイッチ２４と収容凹部１３のスイッチ挿入部１５とは、ハウジング保持部１２に対する装置本体２の位置決めの役割をなしている。これにより、電源スイッチ２４をスイッチ挿入部１５に合わせて装置本体２をハウジング保持部１２に取り付けることで、装置本体２の向きを上下逆さまに取り付けてしまうといったことが防止されている。また、スイッチ挿入部１５は、収容凹部１３の中心Ｍからずれた位置に形成されているため、装置本体２を取り付ける向きを容易に認識することが可能となっている。
【００２５】
ハウジング２１は、収容凹部１３内において取付方向Ｚに沿った方向に若干移動可能に構成されている。そして、ハウジング２１の取付状態において、ハウジング２１の突出部２３と基端収容部１４との間の取付方向Ｚの間隙は、電源スイッチ２４とスイッチ挿入部１５との間の取付方向Ｚの間隙よりも大きく設定されている。これにより、取付状態において装置本体２がハウジング保持部１２側に押し込まれると、電源スイッチ２４がスイッチ挿入部１５により押し込まれてオンとなる。
【００２６】
ハウジング２１の内部には、電源２５と、駆動源としての４つのモータ２６（図１では手前の２つのみ図示）と、制御部２７とが収容保持されている。４つのモータ２６は、４つの施術子３１ａ，３１ｂにそれぞれ対応しており、各モータ２６の駆動力に基づいて各施術子３１ａ，３１ｂが回転駆動されるようになっている。各モータ２６は、制御部２７と電気的に接続されるとともに、その制御部２７は電源２５及び電源スイッチ２４と電気的に接続されている。制御部２７は、電源スイッチ２４がオンとされると、モータ２６を回転駆動させるための駆動電流を電源２５からモータ２６に供給するようになっている。
【００２７】
ハウジング２１には、４つのモータ２６にそれぞれ対応する４つの出力軸２８（図１では手前の２つのみ図示）が軸受２９を介して回転可能に支持されている。各出力軸２８の基端部にはギヤ２８ａが固定されており、各出力軸２８のギヤ２８ａは、それぞれ対応するモータ２６の回転軸の先端に固定された駆動ギヤ２６ａと噛合されている。各出力軸２８の先端側はハウジング２１から外部に突出するように構成されている。そして、出力軸２８の先端には、対応する施術子３１ａ，３１ｂがそれぞれ連結されている。尚、図２に示すように、出力軸２８（図２ではその中心である第１の軸Ｘ１のみを図示）は、左右方向及び上下方向に２つずつ並んで配置され、第１の軸Ｘ１は矩形の角部にそれぞれ位置するように構成されている。また、本実施形態では、出力軸２８（第１の軸Ｘ１）は、取付方向Ｚに対して平行となるように構成されている。
【００２８】
施術子３１ａ，３１ｂは、図１及び図２に示すように、出力軸２８の中心である第１の軸Ｘ１からずれた第２の軸Ｘ２中心で出力軸２８に対して回転可能に設けられる回転部材３２と、前記第１の軸Ｘ１に対して偏った位置に配置（第２の軸Ｘ２の周囲に配置）されるように回転部材３２に設けられた複数の突起３３とを有する。尚、本実施形態では、突起３３は施術子３１ａ，３１ｂ毎に４つずつ（図１中、２つずつのみ図示）設けられている。
【００２９】
詳しくは、出力軸２８の先端と施術子３１ａ，３１ｂとは、回転板３４、回転支持部材３５及び軸受３６を介して連結されている。回転板３４は、円盤状に形成され、その中心孔に出力軸２８の先端が嵌入されて固定されている。回転支持部材３５は、略円柱状に形成されるとともに下端にフランジ部が形成され、その軸中心が出力軸２８の中心である第１の軸Ｘ１からずれた第２の軸Ｘ２中心となるように前記回転板３４上に固定されている。一方、施術子３１ａ，３１ｂの回転部材３２は、略円盤状の円盤部３２ａと、円盤部３２ａの下面から筒状に延びる筒部３２ｂとを有する。そして、施術子３１ａ，３１ｂは、その回転部材３２における筒部３２ｂの内周面が軸受３６を介して前記回転支持部材３５の外周面に回転可能に支持されている。
【００３０】
また、突起３３は、エラストマー等の弾性部材よりなり、略円錐形状に形成され、本実施形態では円盤部３２ａの上部に（第２の軸Ｘ２と平行に）上方に突出するように４つ固定されている。これら各施術子３１ａ，３１ｂにおける４つの突起３３は、それぞれ前記第２の軸Ｘ２を中心として均等な距離に等角度（９０°）間隔に配置されている。
【００３１】
また、施術子３１ａと施術子３１ｂとは、それぞれ連結される出力軸２８によって、互いに逆方向に回転駆動される。詳しくは、図２に示すように、装置本体２を第１の軸Ｘ１方向の施術子３１ａ，３１ｂ側から見て、各施術子３１ａが反時計回りに、各施術子３１ｂが時計回りに回転駆動されるようになっている。そして、施術子３１ａと施術子３１ｂとは、第１の軸Ｘ１方向から見て左右方向に並ぶ出力軸２８同士を結ぶ線分の垂直二等分線Ｙに対して線対称に動作するように（即ち位相差が１８０°となるように）設定されている。
【００３２】
このような頭皮ケア装置１では、まず、取付部材３を取付面Ｆに吸着固定する。このとき、スイッチ挿入部１５が収容凹部１３の中心Ｍの真下に位置する向きで取付部材３を固定する（図４参照）。次に、取付部材３のハウジング保持部１２の収容凹部１３に、装置本体２を突出部２３から取付方向Ｚに挿入する。また、ハウジング２１の突出部２３に対して基端収容部１４への入口１４ａは狭くなっているが、ハウジング保持部１２はゴム材よりなるため、ハウジング２１の突出部２３を基端収容部１４に強制的に挿入すると、基端収容部１４の入口１４ａは弾性により開く。そして、突出部２３が基端収容部１４に入りきった状態では基端収容部１４の入口１４ａは形状復帰する。
【００３３】
また、このとき、装置本体２は、ハウジング２１の電源スイッチ２４が基端収容部１４のスイッチ挿入部１５に合った向きで取り付けられ、電源スイッチ２４はスイッチ挿入部１５に挿入される。この電源スイッチ２４及びスイッチ挿入部１５によって、図２に示すように、各施術子３１ａ同士及び各施術子３１ｂ同士がそれぞれ上下方向に並ぶとともに、互いに逆回転する施術子３１ａ，３１ｂが左右方向に並ぶ向きに装置本体２の向きが位置決めされる。そして、この装置本体２の向きでは、左右方向に隣り合い、前述のように垂直二等分線Ｙに対して線対称に動作する施術子３１ａと施術子３１ｂとによって、頭皮を挟み上げるようなマッサージが可能となっている。
【００３４】
取付部材３に取り付けられた装置本体２の施術子３１ａ，３１ｂに使用者が頭皮を押しつけると、装置本体２がハウジング保持部１２側に押し込まれ、電源スイッチ２４がオンとされる。すると、制御部２７は、駆動電流を電源２５からモータ２６に供給する。そして、モータ２６の回転軸が回転駆動されると、出力軸２８及び回転板３４が前記第１の軸Ｘ１を中心として一体回転する。すると、回転支持部材３５及び施術子３１ａ，３１ｂ（その軸中心）が前記第１の軸Ｘ１を周回するように前記第１の軸Ｘ１を中心として回転する。これにより、施術子３１ａ，３１ｂの突起３３の動きに合わせて使用者の頭皮が動かされることになり、頭皮がマッサージ（挟み上げマッサージ）されるようになっている。
【００３５】
つまり、使用者はバスタブに浸かった状態で、取付部材３により取付面Ｆに固定された装置本体２の施術子３１ａ，３１ｂに頭皮を接触させるだけで、頭皮マッサージを行うことが可能となっている。これにより、装置本体２のハウジング２１を把持せずにリラックスした状態での頭皮マッサージが可能となり、ほとんど疲れを感じることなく頭皮ケア装置１を使用することが可能となっている。尚、使用状態から頭皮を施術子３１ａ，３１ｂから離すと、ハウジング保持部１２（ゴム）の弾性によりスイッチ挿入部１５による電源スイッチ２４の押し込みが解除され、電源スイッチ２４がオフとなり、モータ２６並びに施術子３１ａ，３１ｂの回転が停止されるようになっている。
【００３６】
また、本実施形態では、電源スイッチ２４とスイッチ挿入部１５によって、ハウジング保持部１２に対するハウジング２１の向きを施術子３１ａ，３１ｂの動作の方向性に合わせて（本実施形態では挟み上げ動作となる向きに合わせて）位置決め可能に構成される。このため、ハウジング２１の向きを施術子３１ａ，３１ｂの動作の方向性に合わせることによる所望のマッサージ効果（本実施形態では挟み上げ動作によるマッサージ効果）を得ることが可能となっている。
【００３７】
次に、本実施形態の特徴的な作用効果を記載する。
（１）ハウジング２１を取付面Ｆに固定するための取付部材３を備える。このため、ハウジング２１（装置本体２）を取付部材３によって取付面Ｆに固定し、その施術子３１ａ，３１ｂに頭皮を接触させることで、ハウジング２１を把持せずに頭皮マッサージをすることが可能となる。これにより、ハウジング２１を把持して装置本体２を使用することによる腕の疲れを感じることなく、頭皮マッサージをすることが可能となる。
【００３８】
（２）取付部材３に対するハウジング２１の向きを施術子３１ａ，３１ｂの動作の方向性に合わせて（本実施形態では挟み上げ動作となる向きに合わせて）位置決め可能に構成される。このため、ハウジング２１の向きを施術子３１ａ，３１ｂの動作の方向性に合わせることによる所望のマッサージ効果（本実施形態では挟み上げ動作によるマッサージ効果）を得ることが可能となる。
【００３９】
（３）ハウジング２１及び取付部材３には、位置決め部としての電源スイッチ２４及びスイッチ挿入部１５がそれぞれ設けられる。このため、取付方向Ｚから見たハウジング２１の形状を円形、楕円形、多角形等とした場合においても、電源スイッチ２４及びスイッチ挿入部１５によってハウジング２１の向きを施術子３１ａ，３１ｂの動作の方向性に合わせて位置決めすることが可能となる。
【００４０】
（４）電源スイッチ２４及びスイッチ挿入部１５は、ハウジング２１の取付方向Ｚから見てハウジング２１及び取付部材３（収容凹部１３）の中心Ｍからずれた位置に設けられるため、ハウジング２１を取付部材３に取り付ける向きを容易に認識することができる。
【００４１】
（第２実施形態）
以下、本発明を具体化した第２実施形態を図面に従って説明する。
本実施形態は、取付面Ｆに吸着固定される吸盤部１１（固定部）に対してハウジング保持部１２が回転可能に設けられた点で上記第１実施形態とは異なる。従って、以下には、上記第１実施形態と同様の構成については同一の符号を付してその詳細な説明を省略する。
【００４２】
図５に示すように、吸盤部１１は、吸着面とは反対側の面の中央部に凹設された支持部４１を有している。支持部４１には、ハウジング保持部１２の底面１２ａの中央から延びる係合部１２ｂが嵌め込まれており、この支持部４１は係合部１２ｂを回転可能に支持している。この構成により、ハウジング保持部１２が吸盤部１１に対して回転軸Ｌを中心に回転可能に支持されるようになっている。尚、ハウジング保持部１２の回転軸Ｌは、吸盤部１１の中心及びハウジング保持部１２（収容凹部１３）の中心と一致するとともに、出力軸２８（第１の軸Ｘ１）に対して平行に設定されている。
【００４３】
ハウジング保持部１２の内部には、基端収容部１４の側方位置であってハウジング保持部１２の回転軸Ｌからずれた位置におもりＷが埋設されている。図６に示すように、おもりＷは、装置本体２の取付方向Ｚから見て、ハウジング保持部１２の回転軸Ｌに対してハウジング保持部１２の長手方向（図６において上下方向）であってスイッチ挿入部１５と同じ側にずれた位置に設けられている。これにより、ハウジング保持部１２の重心は、装置本体２の取付方向Ｚから見て、ハウジング保持部１２の回転軸Ｌに対してハウジング保持部１２の長手方向のスイッチ挿入部１５側にずれた位置に設定されるようになっている。
【００４４】
このような取付部材３では、例えばスイッチ挿入部１５（図３参照）が収容凹部１３の中心Ｍの左右方向の横側にくるように取付面Ｆに取り付けた場合、ハウジング保持部１２は、その重心が上記のようにずれていることから、吸盤部１１に対して回転軸Ｌを中心に回転し、その重心並びにスイッチ挿入部１５が回転軸Ｌの真下にくる位置を向くようになっている。そして、ハウジング保持部１２は、その向きで一定に保たれる。従って、取付部材３を取付面Ｆに取り付ける際に、上記第１実施形態のようにスイッチ挿入部１５が収容凹部１３の中心Ｍの真下にくるように取付部材３の向きを気にする必要がなくなる。その結果、取付部材３を容易に取り付けることができるようになっている。
【００４５】
また、本実施形態では、装置本体２の重心は、ハウジング２１の中心軸上に位置するように設定され、このハウジング２１の中心軸は、装置本体２をハウジング保持部１２に取り付けた状態で、ハウジング保持部１２の回転軸Ｌと一致するように構成されている。即ち、装置本体２がハウジング保持部１２に保持された状態では、その装置本体２とハウジング保持部１２とを１つの部材と見なしたときのその重心Ｇは、装置本体２の取付方向Ｚから見て、ハウジング保持部１２の回転軸Ｌに対してハウジング保持部１２の長手方向のスイッチ挿入部１５側にずれた位置に設定されるようになっている（図６参照）。これにより、装置本体２は、ハウジング保持部１２に取り付けられた状態において、電源スイッチ２４がハウジング保持部１２の回転軸Ｌの真下にくる向き、即ち、施術子３１ａ，３１ｂによる挟み上げ動作が可能な向きに一定に保たれるようになっている。このため、上記第１実施形態と同様に、ハウジング２１の向きを施術子３１ａ，３１ｂの動作の方向性に合わせることによる所望のマッサージ効果（挟み上げ動作によるマッサージ効果）を得ることが可能となっている。
【００４６】
本実施形態の頭皮ケア装置１は、上記第１実施形態とは若干の構成の相違はあるが、第１実施形態で記載したものと略同様の作用効果を有する。更に、本実施形態では以下の特徴的な作用効果を有する。
【００４７】
（５）装置本体２（ハウジング２１）がハウジング保持部１２に保持された状態でその装置本体２とハウジング保持部１２とを１つの部材と見なしたときのその重心Ｇが、ハウジング保持部１２の回転軸Ｌからずれて構成される。そして、その重心Ｇの位置ずれにより、ハウジング２１の向きが施術子３１ａ，３１ｂの形状又は動作の方向性に合わせて一定に保たれる。これにより、ハウジング２１の向きを施術子３１ａ，３１ｂの動作の方向性に合わせることによる所望のマッサージ効果（挟み上げ動作によるマッサージ効果）を得ることが可能となる。
【００４８】
（６）ハウジング保持部１２には、ハウジング保持部１２とハウジング２１を合わせた部材の重心Ｇを、ハウジング保持部１２の回転軸ＬからずらすためのおもりＷが設けられる。このため、おもりＷの追加だけで重心Ｇをハウジング保持部１２の回転軸Ｌからずらすことができる。また、おもりＷを設ける位置によって回転軸Ｌに対する重心Ｇのずれ方向を設定できるため、簡素な構成でハウジング２１の向きを設定することが可能となる。
【００４９】
尚、上記第２実施形態は、以下のように変更してもよい。
・上記第２実施形態では、ハウジング保持部１２におもりＷが埋設されたが、これ以外に例えば、装置本体２におもりＷを設けてもよい。また、例えば、おもりＷをハウジング保持部１２の外側面に設けてもよく、また、装置本体２側におもりＷを設けてもよい。
【００５０】
・上記第２実施形態では、ハウジング保持部１２に設けたおもりＷによってハウジング保持部１２とハウジング２１とを合わせた部材の重心Ｇが回転軸Ｌからずれるように構成されたが、これに特に限定されるものではない。例えば、おもりを設けず、ハウジング２１内のモータ２６や電源２５の配置等によって重心Ｇが回転軸Ｌからずれるように構成してもよい。
【００５１】
・上記第２実施形態において、図７及び図８（ａ）（ｂ）に示すように、ハウジング保持部１２が吸盤部１１に対して回転しないようにロックするロック機構５１を設けてもよい。図７及び図８（ａ）（ｂ）に示す例では、ロック機構５１は、ハウジング保持部１２の基端収容部１４の中央に設けられている。図８（ａ）に示すように、ロック機構５１は、可動部材５２と、圧縮コイルばね５３と、フェースギア５４ａ，５４ｂとからなる。
【００５２】
ハウジング保持部１２には、基端収容部１４から係合部１２ｂにかけて第１の軸Ｘ１方向に貫通する貫通孔１２ｃが形成されており、この貫通孔１２ｃ内には、可動部材５２が第１の軸Ｘ１方向にスライド可能に設けられている。可動部材５２は、幅広部５２ａと、幅広部５２ａから延び幅広部５２ａよりも細い幅狭部５２ｂとを有する。可動部材５２の幅広部５２ａの端部（幅狭部５２ｂとは反対側の端部）は、貫通孔１２ｃから基端収容部１４内に突出しており、ハウジング２１の突出部２３と接触可能に構成されている。また、貫通孔１２ｃの幅広部５２ａが挿通される部分は断面多角形をなし、可動部材５２の幅広部５２ａもそれに対応する断面多角形状をなしており、それにより、可動部材５２がハウジング保持部１２に対して回転軸Ｌ周りに回転不能となっている。圧縮コイルばね５３は、可動部材５２の幅広部５２ａと貫通孔１２ｃの内周面に形成された段差部１２ｄとの間に介在されており、この圧縮コイルばね５３は、幅広部５２ａに対して段差部１２ｄから離間させる方向への付勢力を付与する。フェースギア５４ａ，５４ｂは、可動部材５２の幅狭部５２ｂの先端と吸盤部１１の支持部４１の底面にそれぞれ設けられている。
【００５３】
このような構成によれば、例えば、施術子３１ａ，３１ｂが頭皮に接触されて装置本体２がハウジング保持部１２側に押圧されると、装置本体２のハウジング２１（突出部２３）によって可動部材５２が吸盤部１１側に押し込まれる。すると、図８（ｂ）に示すように、フェースギア５４ａ，５４ｂが互いに噛み合い、これにより、可動部材５２並びにハウジング保持部１２が吸盤部１１に対して回転しないようにロックされる。このように、ロック機構５１は、使用時における施術子３１ａ，３１ｂに対する押圧力に基づきハウジング保持部１２の回転を自動的にロックするようになっている。
【００５４】
また、このとき、上記第１実施形態と同様に、電源スイッチ２４がスイッチ挿入部１５により押し込まれてオンとなり、施術子３１ａ，３１ｂが回転駆動され、頭皮に対するマッサージがなされる。このとき、ハウジング２１は、施術子３１ａ，３１ｂの駆動の反力を受けるが、ロック機構５１によって回転軸Ｌを中心とする回転ブレが抑制されるようになっている。
【００５５】
施術子３１ａ，３１ｂが頭皮に接触していない時等、装置本体２がハウジング保持部１２側に押圧されていない状態では、図８（ａ）に示すように、可動部材５２は、圧縮コイルばね５３の付勢力により反吸盤部側にスライドする。これにより、フェースギア５４ａ，５４ｂの噛合状態が解除され、可動部材５２並びにハウジング保持部１２が吸盤部１１に対して回転可能となる。
【００５６】
このような構成によれば、ハウジング保持部１２が吸盤部１１に対して回転しないようにロックするロック機構５１を備えるため、使用時におけるハウジング保持部１２並びにそれに保持されたハウジング２１の回転ブレを抑制することが可能となる。
【００５７】
また、ロック機構５１は、ハウジング２１がハウジング保持部１２に保持された状態において、ハウジング２１の施術子３１ａ，３１ｂに対する押圧力に基づいて自動的にハウジング保持部１２の回転をロックする。これにより、ハウジング２１の施術子３１ａ，３１ｂに頭皮を押しつけたときに、意識せずともハウジング保持部１２の回転がロックされるため、ハウジング保持部１２の回転ブレを確実に抑制することが可能となる。また、ハウジング保持部１２の回転をロックするための余分な操作が不要となり、使い勝手を向上する。
【００５８】
尚、図７及び図８に示す例では、ロック機構５１は施術子３１ａ，３１ｂに対する押圧力に基づいてハウジング保持部１２の回転を自動的にロックする構成としたが、これに特に限定されるものではない。例えば、装置本体２のハウジング２１をハウジング保持部１２に取り付ける際の取付動作に基づいてハウジング保持部１２の回転を自動的にロックする構成としてもよい。即ち、ハウジング２１をハウジング保持部１２に取り付ける際に、可動部材５２がハウジング２１によって吸盤部１１側に押し込まれて、フェースギア５４ａ，５４ｂが互いに噛み合うようにしてもよい。この構成によれば、ハウジング２１をハウジング保持部１２に取り付けるだけで、ハウジング保持部１２が吸盤部１１に対して回転しないようにすることができる。
【００５９】
（第３実施形態）
以下、本発明を具体化した第３実施形態を図面に従って説明する。
本実施形態は、吸盤部１１と取付面Ｆとの間の密閉空間Ｓ内の空気を吸引するためのポンプＰをハウジング２１の内部に備えた点で上記第１実施形態とは異なる。従って、以下には、上記第１実施形態と同様の構成については同一の符号を付してその詳細な説明を省略する。
【００６０】
図９及び図１０（ａ）（ｂ）に示すように、装置本体２のハウジング２１には、突出部２３の底面中央から取付方向Ｚと平行な方向に延びる断面円形の吸引孔２１ａが形成され、この吸引孔２１ａはポンプＰと接続されている。一方、取付部材３は、吸盤部１１とハウジング保持部１２とが一体部材からなり、ハウジング保持部１２の底部中央には、吸盤部１１と取付面Ｆとの間の密閉空間Ｓと基端収容部１４とを連通する連通孔６１が形成されている。連通孔６１の基端収容部１４側の端部には、取付方向Ｚと平行な方向に延びる筒部６２が形成されている。筒部６２の外周面は、ハウジング２１の吸引孔２１ａと略同サイズの円形をなしている。また、筒部６２の端部には、その端部の一部と繋がる蓋部６３が連通孔６１を閉塞可能に形成されている。取付部材３が取付面Ｆに吸着固定された状態では、密閉空間Ｓの負圧により蓋部６３は筒部６２の開口（連通孔６１）を閉塞している。
【００６１】
装置本体２がハウジング保持部１２に取り付けられた状態において、ハウジング保持部１２の筒部６２は、ハウジング２１の吸引孔２１ａに挿入されている。この状態では、筒部６２の外周面と吸引孔２１ａとの間はシールされ、これにより、吸引孔２１ａは筒部６２によって気密性を保った状態で閉塞されるようになっている。
【００６２】
図１０（ｂ）に示すように、ハウジング保持部１２に取り付けられた状態で装置本体２がハウジング保持部１２側に押し込まれて電源スイッチ２４がオンとされると、電源スイッチ２４から制御部２７に駆動信号が出力される。制御部２７は、駆動信号に基づきモータ２６に駆動電流を供給するとともに、ポンプＰを駆動させる。それにより、ポンプＰは吸引孔２１ａ内の空気を吸引して、密閉空間Ｓに対して吸引孔２１ａ内が負圧となる。すると、密閉空間Ｓ及び連通孔６１内の空気が蓋部６３を押し開けて吸引孔２１ａ内に流れ込む。このように、ポンプＰが密閉空間Ｓ内の空気を吸引するため、密閉空間Ｓの気圧が低下し、吸盤部１１の吸着力を向上させることができるようになっている。
【００６３】
また、制御部２７は、駆動信号に基づきポンプＰを予め設定された所定の駆動時間だけ駆動させる。即ち、ポンプＰは、駆動されてから前記駆動時間を経過後に停止される。これにより、省消費電力化に貢献できるようになっている。
【００６４】
本実施形態の頭皮ケア装置１は、上記第１実施形態とは若干の構成の相違はあるが、第１実施形態で記載したものと略同様の作用効果を有する。更に、本実施形態では以下の特徴的な作用効果を有する。
【００６５】
（７）ハウジング２１の内部には、ハウジング２１を取付部材３に取り付けた状態において吸盤部１１と取付面Ｆとの間の密閉空間Ｓ内の空気を吸引するためのポンプＰが設けられる。これにより、取付面Ｆに対する吸盤部１１の吸着力を向上させることができる。
【００６６】
（８）ハウジング保持部１２に保持されたハウジング２１の施術子３１ａ，３１ｂに対する押圧力に基づき駆動信号を出力する電源スイッチ２４と、電源スイッチ２４からの駆動信号に基づきポンプＰを駆動させる制御部２７とを備える。これにより、ハウジング２１の施術子３１ａ，３１ｂに頭皮を押しつけたときに、意識せずともポンプＰが駆動されるため、吸盤部１１の吸着力を確実に向上させることが可能となる。また、ポンプＰを駆動するための余分な操作が不要となり、使い勝手を向上する。
【００６７】
（９）制御部２７は、駆動信号に基づき吸引手段を予め設定された駆動時間だけ駆動させるため、省消費電力化に貢献できるようになっている。
尚、本発明の実施形態は、以下のように変更してもよい。
【００６８】
・上記第３実施形態では、モータ２６の駆動のためのスイッチとポンプＰの駆動のためのスイッチとを兼用（電源スイッチ２４）としたが、それぞれ別で備えてもよい。また、駆動スイッチ（電源スイッチ２４）は、ハウジング２１に対する押圧力に基づき駆動信号を出力するように構成したが、これ以外に例えば、装置本体２のハウジング２１をハウジング保持部１２に取り付ける際の取付動作に基づき駆動信号を出力するように構成してもよい。即ち、ハウジング２１をハウジング保持部１２に取り付ける際に、ポンプＰの駆動のための駆動スイッチがオンとされる構成としてもよい。
【００６９】
・上記各実施形態において、例えば図１１に示すように、固定部としての吸盤部１１とハウジング保持部１２との間に、吸盤部１１に対するハウジング保持部１２の角度を可変可能な角度可変接合部７１を有する構成としてもよい。図１１に示す例では、角度可変接合部７１は、吸盤部１１に一体に形成されハウジング保持部１２を回転軸Ｒを中心として回転可能に支持する支持部７２を有する。そして、角度可変接合部７１は、支持部７２に形成された３つの係合凹部７２ａと、ハウジング保持部１２に形成され係合凹部７２ａと係合可能な係合凸部７３とによって、ハウジング保持部１２の高さ方向の角度を可変可能に構成されている。これにより、角度可変接合部７１にてハウジング保持部１２の角度を可変することで、施術子３１ａ，３１ｂの高さ及び向きを調節可能となっている。このような構成によれば、使用者の好みに合わせてハウジング２１の角度を調整することが可能となる。
【００７０】
尚、図１１に示す例では、角度可変接合部７１はハウジング保持部１２の高さ方向の角度を可変するように構成されたが、これ以外に例えば、ハウジング２１の水平方向の角度を可変するように構成してもよい。また、図１１に示す例では、支持部７２側に係合凹部７２ａを設け、ハウジング２１側に係合凸部７３を設けたが、反対に支持部７２側に係合凸部を設け、ハウジング２１側に係合凹部を設けてもよい。
【００７１】
上記各実施形態では、ハウジング保持部１２に対するハウジング２１の位置決めのための位置決め部（電源スイッチ２４及びスイッチ挿入部１５）を備えたが、これに特に限定されるものではない。例えば、図１２及び図１３に示すように、ハウジング２１（及び収容凹部１３）の取付方向Ｚ（図１２及び図１３において紙面直交方向）から見た外形をハウジング保持部１２に対して位置決め可能な形状としてもよい。
【００７２】
図１２に示す例では、ハウジング２１の側壁部２２の外周面には、位置決め凸部２２ｂが形成され、収容凹部１３の内面には、位置決め凸部２２ｂが嵌め込まれる凹部１３ａが形成されている。この位置決め凸部２２ｂと凹部１３ａとにより、ハウジング保持部１２に対するハウジング２１の位置決めがなされる。また、図１３に示す例では、取付方向Ｚから見たハウジング２１及び収容凹部１３の形状が鏡餅状とされ、これにより、ハウジング保持部１２に対するハウジング２１の位置決めがなされる。
【００７３】
これらのような構成によれば、ハウジング２１は、取付方向Ｚから見た外形が取付部材３に対して位置決め可能な形状に形成されるため、ハウジング２１を取付部材３に取り付ける向きを容易に認識することができる。
【００７４】
・上記各実施形態では、ハウジング２１を施術子３１ａ，３１ｂが挟み上げ動作となる向きに合わせて位置決めしたが、これ以外に例えば、施術子３１ａ，３１ｂが挟み下げ動作となる向きに合わせて位置決めしてもよい。また、上記各実施形態では、ハウジング２１の向きが施術子３１ａ，３１ｂの動作の方向性に合わせて位置決めされたが、これに特に限定されるものではない。例えば、施術子の形状が方向性を有する構成（例えば施術子が楕円状）の場合には、施術子の形状の方向性に合わせて（例えば施術子の楕円状の長手方向が水平方向と平行となるように）ハウジング２１の向きを位置決めするように構成してもよい。また、施術子が複数の場合には、配置の方向性に合わせて（例えば施術子の並設方向が水平方向と平行となるように）ハウジング２１の向きを位置決めするように構成してもよい。
【００７５】
・上記各実施形態では、電源スイッチ２４はハウジング２１の突出部２３から突出するように構成されたが、これ以外に例えば、電源スイッチを突出部２３の内部に設け、突出部２３を押圧することで電源スイッチがオンされるように構成してもよい。
【００７６】
・上記第１実施形態において、吸盤部１１とハウジング保持部１２とを一体部材で構成してもよい。
・上記各実施形態では、装置本体２とは別体の取付部材３を備えたが、これに特に限定されるものではなく、例えば、図１４に示すように、ハウジング２１に取付部としての吸盤部８１を一体に設けた構成としてもよい。
【００７７】
・上記各実施形態では、施術子３１ａ，３１ｂが回転駆動される構成の頭皮ケア装置１に具体化したが、これに特に限定されるものではなく、例えば施術子が振動駆動される構成としてもよい。
【符号の説明】
【００７８】
１…頭皮ケア装置、３…取付部材（取付部）、１１…吸盤部（固定部）、１２…ハウジング保持部、１５…スイッチ挿入部（位置決め部）、２１…ハウジング、２４…電源スイッチ（位置決め部及び駆動スイッチ）、２７…制御部（制御手段）、３１ａ，３１ｂ…施術子、５１…ロック機構、７１…角度可変接合部、８１…吸盤部（取付部）、Ｆ…取付面（取付箇所）、Ｇ…重心、Ｌ…ハウジング保持部の回転軸、Ｍ…収容凹部の中心、Ｐ…ポンプ（吸引手段）、Ｓ…密閉空間、Ｚ…取付方向。
【図１】
2012045090.tif 000003
【図２】
2012045090.tif 000004
【図３】
2012045090.tif 000005
【図４】
2012045090.tif 000006
【図５】
2012045090.tif 000007
【図６】
2012045090.tif 000008
【図７】
2012045090.tif 000009
【図８】
2012045090.tif 000010
【図９】
2012045090.tif 000011
【図１０】
2012045090.tif 000012
【図１１】
2012045090.tif 000013
【図１２】
2012045090.tif 000014
【図１３】
2012045090.tif 000015
【図１４】
2012045090.tif 000016